(57)【特許請求の範囲】
【請求項１】
錠杵に連絡する連動部に着脱可能に係合する連結具と、上記連結具を回動可能に保持する固定部材を具備するドア錠を操作するカード式錠装置であって、
上記カード式錠装置は、
上記固定部材に着脱可能に固定され外周に係合孔を有し後部に軸方向に延びる嵌合溝を有するケース、
上記ケースに回動可能かつ軸方向に移動可能に収納される回動部材、
上記回動部材内に設けられコード化された孔が形成されたキーカードとコードカードの孔の位置関係により停止位置から操作位置に移動可能な作動体を有するカード式錠本体、
上記作動体に連結され上記作動体が停止位置にあるとき上記係合孔に係合し該作動体が操作位置へ移動したとき該係合孔から離脱可能な回動制御爪、
上記回動部材の後端に固定されケースの後部に形成した上記嵌合溝に嵌入可能な係止突起を有し上記連結具を挿入する係合溝を設けた抜け止め板、
上記回動部材及び上記ケースの外周に嵌着し前方に付勢された前方リングと後方に付勢された後方リングを含む被覆部材を具備することを特徴とするカード式錠装置。
【請求項２】
上記ドア錠を取り付けた扉には設置用孔が形成され、
上記ケースは前方ケース部と前方ケース部より小径の後方ケース部を有し、
上記後方ケース部及び上記固定部材の外径は上記設置用孔に挿入できる大きさに形成されている請求項１に記載のカード式錠装置。
【請求項３】
上記被覆部材は上記前方リングと後方リングの間に中間リングを有し、上記中間リングと上記後方リングの間には前方リングを前方に付勢すると共に後方リングを後方に付勢するばねを有する請求項１又は２に記載のカード式錠装置。
【請求項４】
上記回動部材は、内部に上記カード式錠本体を設けた大径部と該大径部より小径の小径部を有し、上記回動部材の前端に上記大径部より外径の大きい蓋板を有する請求項１〜３のいずれかに記載のカード式錠装置。
【請求項５】
上記係合溝は、上記連結具に角度を変えて挿入できるよう複数形成され、
上記ケースの後端面には同心円状に並んだ複数の取付孔が等間隔に設けられ、
上記取付孔に対応して上記固定部材に複数の固定用取付孔を形成した請求項１〜４のいずれかに記載のカード式錠装置。
【発明の詳細な説明】
【技術分野】
【０００１】
本発明は、キーカード及びコードカードを用いるカード式錠装置に係り、更に詳しくは、ドア錠に取り付け、回動操作によって簡便に施錠、解錠できるようにしたカード式錠装置に関するものである。
【背景技術】
【０００２】
ドア錠に用いるカード式錠として、扉の外側面にキーカード挿入口を設け、このキーカード挿入口にキーカードを挿入し、キーカードが錠装置内のコードカードと一致したとき、内部のピンが移動して作動体が移動可能となり、施解錠できるようにしたカード式錠装置が知られている（特許文献１）。しかし、この錠装置は、扉に取り付けるドア錠を含めて装置全体を交換しなければならないので、取付作業が面倒であり、経済的でもない。
【０００３】
扉の室内側に設けたサムターン部分に対応して、扉の室外側にキーカードで操作される操作部を設け、適正なキーカードを挿入した際、該操作部を回転することにより施解錠できるようにしたカード式錠装置も知られている（例えば、特許文献２参照）。特許文献２の装置は、固定される外ケース内に回動可能に内ケースを設け、この内ケース内に作動体を有するカード式錠本体を装着し、予め挿入したコードカードに対応する適正なキーカードをカード式錠本体に差し込んだ際、カード式錠本体の作動体を移動させて内ケースを回転可能とし、該内ケースを回動させることによって、内ケースに連結したドア錠のデッドボルト等の錠杆を施錠若しくは解錠位置に移動できるよう構成されている。
【０００４】
特許文献２の装置は、従来のドア錠をそのまま使用し、扉の室外側の操作部にカード式錠装置を装着するだけでよいので、構成が簡単であり、かつ扉に取り付け易いという利便性を有している。
【０００５】
しかし、特許文献２に記載のカード式錠装置は、内ケースに固定する取付板、外ケースに設けられカム溝を有する移動制御板及び固定板、支持板、係止制御板その他種々の部品を必要とするから、部品点数が多くなり、製造、組み立てが複雑であり、経済的に得にくかった。また、コードカード等の挿入口を覆うようカバーを外ケースの前端に回転可能に装着してあるので、コードカードの交換の際には、内ケースを引き出さなければならない。ところが、特許文献２の装置では特殊な工具を用いて係止制御部材を回転した後、内ケースを吸盤で吸着して引き出さなければならないから簡単に交換することができない。
【０００６】
また、特許文献２の装置では、キーカード挿入口の方向が固定されている。そのため、右開き、左開き、内開き、外開き等の扉の開閉方向、使用者の身長、ドアに取り付けるレバーハンドルの形状等種々の事情により、キーカードをキーカード挿入口に挿入しにくい場合がある。
【０００７】
上記のようなカム溝を有する移動制御板、固定板、支持板、及び係止制御板等の複雑な部品を具備せずに、かつカード挿入口の方向を変更できるようにした錠装置も提案されている（例えば、特許文献３参照）。この特許文献３に記載の錠装置は、錠本体が、ハウジングと、ハウジングに嵌合するベースと、ベースに設けたスライドユニットと、スライドユニットを覆う蓋部材で構成されている。そして、適正なメインキー（キーカード）を差し込んだときスライドユニットがメインキーの挿入方向に移動し、スライドユニットの移動片がハウジングの切欠き部に嵌合し、ハウジングとベースを一緒に回転でき、これによりベースに設けた施解錠用のドライバーが回転し、これに連結された施錠部材によって施解錠操作ができる、と記載されている。しかし、特許文献３の装置は、メインキーを挿入しないとき移動片が切り欠き部から外れることになるから、この状態でベース及びベースに設けられた施解錠用操作接続杆が自由に動くようになり、施錠部材を操作できることになるので、どのようにして施解錠できるのか不明である。
【０００８】
なお、特許文献３の装置にも、施錠時にサブキー（コードカード）の挿入口を塞ぐようスライドカバー部材が設けられている。しかし、このスライドカバー部材は、ハウジングの外周に単に被嵌され、蓋部材側に付勢しているだけであるから、スライドカバー部材の張り出し片をハウジングの突条不連続部から第１摺動溝に移動させれば、サブキーの挿入口が露出し、該挿入口を塞ぐことができない。その上、このスライドカバー部材は、ベースとハウジングの一部を覆っているだけで、扉側に付勢されていないので、ハウジングと扉の間に隙間が生じたような場合には、隙間を隠すことができない。
【０００９】
さらに、特許文献３には、マウントピースとハウジングの取付位置を変えることにより、メインキーの挿入方向を変化させることができる、と記載されているが、上記マウントピースがどのように施錠部材に連絡しているのか記載されていない。その上、マウントピースは、ハウジングに固定され、このハウジングが上述のように施解錠の際にベースと共に回転すると記載されているから、マウントピースも一緒に回転することになる。そのため取付位置を変えても、どのようにしてスライドユニットのメインキー挿入口の位置が変化するのか不明である。したがって、特許文献３の錠装置が実施されたかどうか知らない。
【先行技術文献】
【特許文献】
【００１０】
【特許文献１】特公昭５９−２１４１７号公報（図１）
【特許文献２】特開２００３−３０７０５８号公報（段落００１４、００２３、００２４）
【特許文献３】特開２０１４−７４２６８号公報（段落００３５〜００４０、００５０〜００５２）
【発明の概要】
【発明が解決しようとする課題】
【００１１】
本発明の解決課題は、構成が簡単で部品点数が少なく、扉に取り付けた際に隙間を生じることもなく、また、特殊な工具を用いずにコードカードを交換でき、かつ、キーカード挿入口の方向を変えることもできるようにしたカード式錠装置を提供することである。
【課題を解決するための手段】
【００１２】
本発明によれば、錠杵に連絡する連動部に着脱可能に係合する連結具と、上記連結具を回動可能に保持する固定部材を具備するドア錠を操作するカード式錠装置であって、上記カード式錠装置は、上記固定部材に着脱可能に固定され外周に係合孔を有し後部に軸方向に延びる嵌合溝を有するケース、上記ケースに回動可能かつ軸方向に移動可能に収納される回動部材、上記回動部材内に設けられコード化された孔が形成されたキーカードとコードカードの孔の位置関係により停止位置から操作位置に移動可能な作動体を有するカード式錠本体、上記作動体に連結され上記作動体が停止位置にあるとき上記係合孔に係合し該作動体が操作位置へ移動したとき該係合孔から離脱可能な回動制御爪、上記回動部材の後端に固定されケースの後部に形成した上記嵌合溝に嵌入可能な係止突起を有し上記連結具を挿入する係合溝を設けた抜け止め板、上記回動部材及び上記ケースの外周に嵌着し前方に付勢された前方リングと後方に付勢された後方リングを含む被覆部材を具備することを特徴とするカード式錠装置が提供され、上記課題が解決される。
【００１３】
本発明において、上記ドア錠を取り付けた扉には設置用孔が形成され、上記ケース部は前方ケース部と前方ケース部より小径の後方ケース部を有し、該後方ケース部及び上記固定部材の外径は上記設置用孔に挿入できる大きさに形成されているカード式錠装置が提供される。
【００１４】
さらに本発明において、上記被覆部材は上記前方リングと後方リングの間に中間リングを有し、該中間リングと後方リングの間には前方リングを前方に付勢すると共に後方リングを後方に付勢するばねを設けたカード式錠装置が提供される。
【００１５】
本発明において、上記回動部材は、内部に上記カード式錠本体を設けた大径部と該大径部より小径の小径部を有し、上記回動部材の前端に上記大径部より外径の大きい蓋板を有するカード式錠装置が提供される。
【００１６】
本発明において、上記係合溝は、上記連結具に角度を変えて挿入できるよう複数形成され、上記ケースの後端面には同心円状に並んだ複数の取付孔が等間隔に設けられ、上記取付孔に対応して上記固定部材に複数の固定用取付孔を形成したカード式錠装置が提供される。
【発明の効果】
【００１７】
本発明のカード式錠装置は、上記のように構成され、固定部材に固定されるケースの外周に係合孔を設け、回動部材に回動制御爪と連結するカード式錠本体を設け、キーカードにより上記回動制御爪を上記係合部に係合した際に回動部材が回転不能となり、係合部から離脱した際に回動部材を回転可能にし、これにより中立位置にある連結具を右回転、左回転して施解錠できるようにしたので、構成が簡単で、部品点数を少なくすることができる。
【００１８】
また、係合溝は上記連結具に対して角度を変えて挿入できるよう複数形成され、かつ、ケースの後端面に同心円状に並んだ複数の取付孔を等間隔に設けると共に、固定部材に上記取付孔に対応して複数の固定用取付孔を形成したから、ケースを円周方向に適宜の角度回転し、固定部材に対する取付角度、すなわち、停止位置におけるキーカードの挿入方向と、中立位置における固定部材の連結具の起立方向の相違により生じる角度を変えて固定することができる。これにより、回動部材に設けたキーカード挿入口が所望の位置になるようにキーカード挿入口の位置を使い勝手の良い位置に変更することができ、コードカード挿入口の位置もコードカードの交換が行いやすい位置にすることができる。
【００１９】
なお、上記のような構成により、上記ケース、回動部材及び固定部材は、ドア錠と一連に連結される結果、ケースの後端はドア錠から所定距離離れた部位に位置することになる。そのため、扉の種類により扉の厚さが変わると、ケースと扉の間に隙間が生じるおそれがあり、防犯上好ましくなく、体裁もよくない。然るに、本発明は、上記のように構成され、ケース及び固定部材の外周に前方に付勢された前方リングと後方に付勢された後方リングを有する被覆部材が設けられているので、被覆部材が伸縮し、扉の厚さが変化してケースと扉の間に隙間が生じるような恐れがあっても、その隙間を被覆部材で確実に覆って外部に露出しないようにすることができる。
【図面の簡単な説明】
【００２０】
【図１】本発明の使用状態の一実施例を示す斜視図である。
【図２】被覆部材、ケース及び固定部材の一部を断面し、一部を拡大して示す側面図である。
【図３】回動部材の分解斜視図である。
【図４】回動部材の断面図である。
【図５】ケースの斜視図である。
【図６】ケースの断面図である。
【図７】固定部材の分解斜視図である。
【図８】固定部材の断面図である。
【図９】被覆部材の分解斜視図である。
【図１０】被覆部材の分解断面図である。
【図１１】キーカードを挿入していない状態を示し、（Ａ）はキーカード及びコードカードの挿入口の関係を示す説明図であり、（Ｂ）は抜け止め板と嵌合溝の関係を示す説明図である。
【図１２】被覆部材を後方に押した状態の説明図である。
【図１３】被覆部材を後方に移動し、回動部材を前方に引き出した状態の説明図である。
【発明を実施するための形態】
【００２１】
本発明のカード式錠装置１は、図１、図２に示すように、扉２のドア錠３に組み合わせて使用されるものである。すなわち、図１に示すように、ドア錠３は公知のようにハンドル４で操作されるラッチ５、図１には表れていない室内側に設けたサムターンに連絡するデッドボルト６を有し、該サムターンに対向する扉２の室外側に、上記デッドボルト６に連絡するカード式錠装置１が設けられている。このカード式錠装置１は、上記デッドボルト６に連絡され上記ハンドル４の回転軸と並行して伸びる中心軸を中心として回動可能に設けられた回動部材７と、扉２に固定され該回動部材７を回転可能及び軸方向に移動可能に保持するケース８を具備し、ほぼ全体が被覆部材９で覆われている。なお、上記ケース８の後端は、図２に示すようにドア錠３に固定された固定部材１０に、後記するように円周方向の取付位置を変更可能に固定される。なお、本願明細書及び特許請求の範囲において、扉の室外方向を「前方」、「前部」とし、室内方向を「後方」、「後部」とする。
【００２２】
回動部材７は、図３に示すように、略円柱状若しくは略円盤状に形成され、内部にカード式錠本体１１を設けた大径部１２と、該大径部１２より小径の小径部１３とを有する。小径部１３は、段差部１４を介して中間軸部１５と、該中間軸部１５より小径の後端軸部１６を有し、回動部材７の中心軸と交差する方向に延びる長溝１７が設けられている。
【００２３】
上記カード式錠本体１１は、図４に示すように、図４において上下方向に摺動可能に作動体１８が設けられている。作動体１８には、キーカード挿入口１９とコードカード挿入口２０が、図４において作動体１８の上下方向にそれぞれ開口するように形成され、これら挿入口からキーカード２１及びコードカード２２が挿入される。このカード式錠本体１１の構造は、ヴィングカード（ｖｉｎｇｃａｒｄ：ヴィングカードは登録商標）として広く知られているものであり、簡単に説明すると、キーカード２１が挿入されていないときは複数の長孔２３に挿入した施錠ピン２４により、作動体１８の移動がロックされている。コードカード２２に対応する適正なキーカード２１が挿入されると、ボール２５、スプリング２６を介して施錠ピン２４が移動し、作動体１８は移動可能になる。そして、キーカード２１をさらに押し込むと、作動体１８は停止位置から操作位置に移動する。操作位置から、キーカード２１をもとの方向に引き戻すと、作動体１８ももとの位置に戻り、キーカード２１を引くと、上記施錠ピン２４により作動体１８の移動は、停止位置でロックされる。
【００２４】
上記中間軸部１５の長溝１７には、一端に止着部２７を有し他端に係合部２８を有する略Ｌ字状の回動制御爪２９が長溝１７に沿って移動可能に挿入されている。該回動制御爪２９は、長溝１７に挿入した後、後端軸部１６に固定具３０を嵌着し、該後端軸部１６の端面に抜け止め板３１をねじ止めすることにより、挿入位置に保持されている。上記回動制御爪２９は、長溝１７の底部に形成した差込溝３２を通って作動体１８方向に延びる上記止着部２７を該作動体１８に形成した連結孔３３に挿入することにより該作動体１８に連結されている。これにより、作動体１８の移動とともに回動制御爪２９は、図４において上下方向に移動する。上記差込溝３２の、図４において上下方向の長さは、作動体１８が移動したとき回動制御爪２９も追従して一緒に移動することを許容できる長さである。上記固定具３０の中央には、受孔３４が形成されている。
【００２５】
上記回動制御爪２９の係合部２８は、作動体１８が停止位置（ロックされた位置）にあるとき（図４、実線）、中間軸部１５の周面から突出し、上記ケース８の外周に設けた係合孔３５（図５、図６参照）に係合する。作動体１８がキーカード２１によりキーカード２１の挿入方向に押されて操作位置に移動すると、係合部２８はケース８の係合孔３５から抜け出して、回動部材７の回動に支障を生じないよう中間軸部１５内に没入する長さに形成されている。
【００２６】
上記抜け止め板３１は、円板状に形成され、その周囲には、９０度の間隔をあけて、放射方向に延びる４個の係止突起３６が突設されている。また、中心部には、上記デッドボルト６等の錠杆に連絡する連結具３７を遊嵌状態で挿入するための係合溝３８が設けられている。この係合溝３８は、図３に示す実施例においては、上記連結具３７が板状に形成されている（図７参照）ので、角度を変えて挿入できるよう放射方向に延びる複数のスリット状の溝で構成してある。連結具３７が角軸状に形成されている場合は、角軸の挿入角度を変更できるよう内周面に複数の角部を有する略円形状に形成することもできる（図示略）。該抜け止め板３１は、ケース８の前方から回動部材７を挿入した後、ケース８の背面側からケース８の後部に当てがわれ、取付孔３９を通してねじ（図示略）を回動部材７のねじ孔４０にねじ着することにより回動部材７に固定される。上記連結具３７の先端部４１は、上記固定具３０の受孔３４に入り込み、上記回動部材７を軸方向に移動する際、上記係合溝３８に係合した状態で溝面と摺接する（図２参照）。
【００２７】
上記回動部材７の前面には、被覆部材９の前端が当接するよう大径部１２より外径の大きい蓋板４２がねじで固定される。蓋板４２の表面には、キーカード挿入口１９の場所が分かるようなマークや凹凸等の目印を設けておくこともできる（図示略）。また、上記各挿入口１９、２０と近接する蓋板４２の周面には、キーカード２１及びコードカード２２を各挿入口１９、２０に案内するよう適宜の傾斜面を設けてもよい（図示略）。さらに、蓋板４２は、円板状に形成してあるが正六角形等の多角形や具象的な形態やキャラクターの形状等種々の形状にすることもできる（図示略）。
【００２８】
回動部材７の周面には、挿入孔４３を設けてあり（図３、図４参照）、該挿入孔４３に、支持ばね４４、クリックボール４５を挿入し、後記するように回動部材７を９０度回動した際及び軸方向に引き出した際、クリック音やクリック感を与えることができるようにしてある。
【００２９】
上記ケース８は、図５、図６に示すように、上記回動部材７の大径部１２を回動可能にかつ軸方向に移動可能に収納する前方ケース部４６と、上記小径部１３を収納する後方ケース部４７を有している。扉２には、設置用孔４８（図２参照）を設けてあり、後方ケース部４７の外径は、この設置用孔４８に挿入できる外径に形成され、図２に示すように、ドア錠３の連動部４９に対応する上記固定部材１０も設置用孔４８内に収納される。
【００３０】
上記前方ケース部４６には、上記回動部材７に設けた上記クリックボール４５が係合可能な確認孔５０を設けてある。上記確認孔５０は、前方ケース部４６の周面に９０度の間隔をあけて４ヶ所設けてあり、各ヶ所に前後に２個ずつ設けられている。この構成により、回動部材７が９０度回動する毎に、また軸方向に前方、後方に移動したときに、クリックボール４５が確認孔５０の開口周縁に当接してクリック音を発生させ若しくはクリック感を生じさせることができる。
【００３１】
上記後方ケース部４７の外周には、上記回動部材７の回動制御爪２９の係合部２８を係合できるよう上記係合孔３５を貫設してあり、その内方には、上記回動部材７の小径部１３の中間軸部１５を収納する中間内径部５１と、後端軸部１６を回転可能及び軸方向に移動可能に収容する後端内径部５２が、段部５３を介して形成されている。
【００３２】
該後端内径部５２の後端面には、上記抜け止め板３１を収容できる深さでかつ該抜け止め板３１の係止突起３６を嵌入できる幅の環状溝５４が形成されている。該環状溝５４の一部には、該係止突起３６が入り込む幅を有する嵌合溝５５が係止突起３６の数に対応して、図に示す実施例では、４つ軸方向に形成されている。これらの嵌合溝５５の位置は、上記作動体１８が停止位置にあってロックされ回動部材７を回動することができないとき及び回動部材７を９０度回転したとき係止突起３６に対向する位置である。この構成により、回動部材７は、回動する際に環状溝５４の側面を係止突起３６が摺動し、揺動せず軸方向前方へ抜け出さないよう確実に保持される。
【００３３】
該嵌合溝５５の軸方向の長さは、後記するようにコードカード挿入口２０が露出する位置まで回動部材を移動させたとき、該回動部材７の軸方向の移動を停止できる長さである。
【００３４】
上記後方ケース部４７の後端面側には、固定部材１０と連結するための取付孔７９を形成してあり、実施例に示す取付孔７９は、同心円状に並んだ複数のねじ孔で形成されている。このねじ孔は等間隔に設けられている（図５参照）。
【００３５】
図７、図８を参照し、上記固定部材１０の周縁は、上記ケース８の後端面に設けた複数の取付孔７９に対応して複数の固定用取付孔５６が形成されている。この固定用取付孔５６の位置は、上記ケース８を周方向に回転した際に、該ケース８のいずれかの取付孔７９に対応することができる位置である。
【００３６】
上記固定部材１０の側面には、ドア錠３から差し込んだ固定ピン５７を挿入するための差込孔５８を形成してあり、該差込孔５８に固定ピン５７を挿入することにより、固定部材１０はドア錠３に固定される。また、該固定ピン５７を抜き取ると、該固定部材１０はドア錠３から取り外すことができる。なお、固定部材１０をドア錠３に着脱可能に固定するには、上記固定ピン５７による方法以外に適宜のボルト等を用いて固定してもよい（図示略）。
【００３７】
該固定部材１０は、上記連結具３７を回動可能に保持する中心孔５９を有する。該連結具３７は、前方の先端部４１を前方に突出させた状態で中心孔５９に挿入され、ワッシャ６０を介して止め輪６１を固着することにより回転可能に保持されている。上記連結具３７の後端部６２は、固定部材１０をドア錠３に固定した状態において、デッドボルト６等の錠杆の移動を制御する連動部４９に係合する。この連動部４９は、公知のように中立位置から右回転若しくは左回転することにより錠杆を突出位置若しくは後退位置に移動させるよう構成されている。
【００３８】
被覆部材９は、図９に示すように、３個のリング状部材を組み合わせることにより軸方向に伸縮可能に形成されている。すなわち、キーカード挿入口１９を被覆してキーカード挿入口１９への雨水や埃等の異物の侵入を防ぐ前方リング６３と、前方リング６３の後端側のフランジ部６４に嵌着する中間リング６５と、該中間リング６５及びケース８の外周を覆う後方リング６６と、上記中間リング６５及び前方リング６３を前方に付勢すると共に後方リング６６を後方に付勢するコイルばね等のばね６７を有している。この構成により、前方リング６３は上記蓋板４２に当接するまで前進し、後方リング６６は扉２に当接するまで後退する。したがって前方リング６３及び後方リング６６により全体が被覆され、後記するように扉２の厚さが変化して、ケース８の後部が露出するようなおそれがあっても、全体を被覆することができる。
【００３９】
上記前方リング６３は、図１０に示すように、上記蓋板４２に当接する外径の前端面６８と上記後方リング６６に当接可能な後端面６９を有し、その内周面には、上記ケース８の前端面７８と当接可能な内方突出縁７０が形成されている。該内方突出縁７０の後端面７１からケース８の前端面７８までの距離及び／又は前方リング６３の後端面６９から後方リング６６の前端面７２までの距離は、前方リング６３を後方に移動させた際、キーカード挿入口１９は露出するがコードカード挿入口２０は露出しない位置で前方リング６３の移動を停止させることができる距離である（図２参照）。なお、この状態で後記するように回動部材７を前方に移動させたときには、コードカード挿入口２０が露出する位置である。
【００４０】
上記の構成により、前方リング６３を後方リング６６の前端面７２若しくはケース８の前端面７８に当る位置まで、ばね６７に抗して後方に移動させると、前方リング６３はコードカード挿入口２０を隠した位置で停止するから、コードカード２２をいたずらされることがなく、コードカード２２を勝手に抜き取ったり、交換されるおそれがない。
【００４１】
中間リング６５は、内周面に当接部７３を形成してあり、該当接部７３と後方リング６６の後端に設けたフランジ７４の間には、上記ばね６７が設けられている。この構成により上記フランジ７４の後端が扉２に当接するまで後方リング６６は後方に移動するから、扉２の厚さが変わっても後方リング６６は追従して移動し、ケース８に設けた係合孔３５が露出するようなおそれはない（図２参照）。
【００４２】
なお、中間リング６５の上記当接部７３は、当接部７３の前端面７５及び後端面７６と、中間リング６５の前端面７７及び後端面８０までの長さが同じになるように形成してもよいが、好ましくはそれぞれの長さを図１０に示すように、変えて形成することが好ましい。このようにすると、中間リング６５を反転することにより、上記ばね６７を設ける空間の長さが変化し、ばね圧を変えることができる。
【００４３】
本発明のカード式錠装置１をドア錠３に設置する場合について説明する。まず、抜け止め板３１を取り付けていない回動部材７、ケース８、固定部材１０、被覆部材９を用意する。そして、回動部材７のキーカード挿入口１９及びコードカード挿入口２０から、キーカード２１及びコードカード２２を挿入し、キーカード２１を押し込んで回動制御爪２９の係合部２８を小径部１３内に没入させる。
【００４４】
次に該回動部材７の外周に被覆部材９の前方リング６３を挿入した後、小径部１３側からケース８に収納する。そして、回動制御爪２９の係合部２８が係合孔３５に対応する位置になる位置で回動部材７からキーカード２１を抜き取り、作動体１８を移動させて、係合部２８を係合孔３５に係合する。その後、上記ケース８の後端側から回動部材１８に抜け止め板３１を取り付け、ねじで固定する。これによりケース８と回動部材７が連結される。
【００４５】
一方、ドア錠３から取り外した固定部材１０は、デッドボルト６等の錠杵の移動を制御する連動部４９が、通常非操作時に中立位置にあるから、該連動部４９に係合する固定部材１０の連結具３７も中立位置に存するようにドア錠３に取り付けなければならない。
【００４６】
そこで、回動部材７に設けたキーカード挿入口１９が所望の位置になるように取り付けるには、回動部材１０を連結した上記ケース８を円周方向に回転し、中立位置にある上記連結具３７に対応する係合溝３８を選び、該係合溝３８内に連結具３７の先端部４１を挿入しながらケース８の後端を固定部材１０に当接し、固定用取付孔５６から取付孔７９にねじ（図示略）をねじ着して、ケース８と固定部材１０を連結する。
【００４７】
中間リング６５、ばね６７、後方リング６６をケース８の外周に嵌着した後、固定部材１０及びケース８の後部を扉２に設けた設置用孔４８に挿入する。最後にドア錠３側から固定ピン５７を固定部材１０の差込孔５８に挿入し固定部材１０をドア錠３に固定する。
【００４８】
上記のようにして扉２にカード式錠装置１を取り付けることができる。取付状態で中間リング６５を介して前方リング６３及び後方リング６６はそれぞれ前方、後方に付勢されているから、扉２の厚さが異なってもケース８と扉２の間に隙間が生じることなく、確実に外周を覆うことができる。これにより、係合孔３５が扉２から前方に位置するようなことがあっても、係合孔３５の露出を防止することができる。
【００４９】
次に、図１１、図１２を参照し使用態様を説明する。上記カード式錠装置１は、上述したように非操作時には、図１１（Ａ）に示すようにキーカード挿入口１９及びコードカード挿入口２０が前方リング６３で被覆されている。また、抜け止め板３１の係止突起３６は、嵌合溝５５の１つに対応している（図１１（Ｂ））。
【００５０】
前方リング６３を後方リング６６の前端面７２若しくケース８の前端面７８に当るまで移動させると、図１２に示すように、キーカード挿入口１９を現出させることができる。この時点で上述したようにコードカード挿入口２０が表れることはない。このキーカード挿入口１９にキーカード２１を挿入し、作動体１８を停止位置から操作位置まで移動させ、回動制御爪２９の係合部２８を係合孔３５から抜け出すと、回動部材７は回動可能になる。
【００５１】
そして、回動部材７を時計方向又は反時計方向に回動させると、回動部材７の抜け止め板３１に係合している連結具３７も一緒に回動する。これにより、連結具３７と連絡している連動部４９を介して上記錠杆を突出位置若しくは後退位置に移動させ、施解錠することができる。回動部材７をもとの位置に戻してキーカード２１を抜き取ると、係合部２８は係合孔３５に係合し、回動部材７を回転させることができないようロックすることができる。
【００５２】
上記したように、上記ケース８及び回動部材７は、円周方向に適宜回転した位置で、固定部材１０に固定することができるので、上記キーカード挿入口１９の位置を変更して使用することができる。また、環状溝５４に抜け止め板３１の係止突起３６が摺接しながら、回動部材７が回動するから、回動部材７を安定状態で回動させることができる。
【００５３】
次に、コードカード２２を交換する場合について説明する。まず、図１２に示す状態から、キーカード挿入口１９にキーカード２１を挿入し、回動制御爪２９の係合部２８を係合孔３５から後退させる。そして、回動部材７を時計回り若しくは反時計回りに９０度回動させる。この位置で、抜け止め板３１の係止突起３６が嵌合溝５５に対応するから、該係止突起３６を嵌合溝５５に入り込ませることにより該嵌合溝５５の前方内端に係止突起３６が当る位置まで、蓋板４２若しくは被覆部材９の前方リング６３をつかんで回動部材７を前方向に移動させることができる。
【００５４】
その後、該前方リング６３を後方リング６６の前端面７１若しくはケース８の前端面７８に当る位置に後退させると、図１３に示すように、コードカード挿入口２０を現出させることができる。そして、現出したコードカード挿入口２０からコードカード２２を抜いて、新たなコードカード２２を挿入し、回転部材７を後方に押し込み、キーカード２１により回動して係合孔３５に回動制御爪２９の係合部２８を係合させればよい。
【００５５】
以上のように、本発明のカード式錠装置１は、キーカード挿入口１９の位置が周方向のどの位置に変化していても、コードカード２２を交換することができる。したがって、交換しやすい位置を選択してドア錠３に固定することにより、利便性を一層向上することができる。
【符号の説明】
【００５６】
１：カード式錠装置
７：回動部材
８：ケース
９：被覆部材
１０：固定部材
１１：カード式錠本体
２９：回動制御爪
３１：抜け止め板
３５：係合孔
３６：係止突起
３７：連結具
４２：蓋板
４６：前方ケース部
４７：後方ケース部
４８：設置用孔
５５：嵌合溝
５６：固定用取付孔
６３：前方リング
６５：中間リング
６６：後方リング
６７：ばね
７９：取付孔
【図１】
0006325976.tif 000002
【図２】
0006325976.tif 000003
【図３】
0006325976.tif 000004
【図４】
0006325976.tif 000005
【図５】
0006325976.tif 000006
【図６】
0006325976.tif 000007
【図７】
0006325976.tif 000008
【図８】
0006325976.tif 000009
【図９】
0006325976.tif 000010
【図１０】
0006325976.tif 000011
【図１１】
0006325976.tif 000012
【図１２】
0006325976.tif 000013
【図１３】
0006325976.tif 000014